(57)【要約】【課題】外部からの加熱などに伴う容器の内部の圧力上昇による揮散剤の消耗を抑制できる揮散器を提供する。【解決手段】揮散器１は、揮散部４ａを有する揮散部材４と、前進及び後退できるように揮散部材４に連結された連結部材５と、揮散剤を内部に収容するとともに連結部材５に連結された容器３と、連結部材５に設けられ、第１の開口５ａと第２の開口５ｂとの間に形成された貯留室６と、連結部材５の前進によって、第１の開口５ａを閉塞させる一方、連結部材５の後退によって、第１の開口５ａを開放させて容器３の内部を貯留室６の内部に通じさせるように構成された第１の開閉部７と、連結部材５の前進によって、第２の開口５ｂを開放させて貯留室６の内部を揮散部４ａに通じさせる一方、連結部材５の後退によって、第２の開口５ｂを閉塞させるように構成された第２の開閉部８とを備える。【選択図】図１
2018184209.tif 000002
【特許請求の範囲】
【請求項１】
揮散剤を揮散可能な状態で保持することが可能な揮散部を有する揮散部材と、
前記揮散部材の上方に配置されるとともに、前記揮散部材に対して相対的に前進及び後退できるように前記揮散部材に連結された連結部材と、
前記揮散剤を内部に収容するとともに前記連結部材に連結された容器と、
前記連結部材に設けられ、第１の開口と、該第１の開口より下方に位置する第２の開口との間に形成された貯留室と、
前記連結部材の前進によって、前記第１の開口を閉塞させる一方、前記連結部材の後退によって、前記第１の開口を開放させて前記容器の内部を前記貯留室の内部に通じさせるように構成された第１の開閉部と、
前記連結部材の前進によって、前記第２の開口を開放させて前記貯留室の内部を前記揮散部に通じさせる一方、前記連結部材の後退によって、前記第２の開口を閉塞させるように構成された第２の開閉部と
を備える、揮散器。
【請求項２】
前記第２の開閉部は、前記連結部材の前進によって、前記第１の開閉部が前記第１の開口を閉塞させると同時又はその後に、前記第２の開口を開放させる一方、前記連結部材の後退によって、前記第１の開閉部が前記第１の開口を開放させると同時又はその前に、前記第２の開口を閉塞させるように構成されている、請求項１に記載の揮散器。
【請求項３】
前記貯留室は、前記第１の開口が形成された天壁と、前記第２の開口が形成された底壁とを有する、請求項１又は２に記載の揮散器。
【請求項４】
前記第１の開閉部は、前記連結部材の前進によって、前記第１の開口の周縁部に接触して前記第１の開口を閉塞させる一方、前記連結部材の後退によって、前記第１の開口の周縁部から離脱して前記第１の開口を開放させるように構成されており、
前記第２の開閉部は、前記連結部材の前進によって、前記第２の開口の周縁部から離脱して前記第２の開口を開放させる一方、前記連結部材の後退によって、前記第２の開口の周縁部に接触して前記第２の開口を閉塞させるように構成されている、請求項１〜３のいずれか一項に記載の揮散器。
【請求項５】
前記第１の開閉部と前記第２の開閉部とを有するとともに前記揮散部材と嵌合部を介して嵌合可能な開閉部材を備え、
前記連結部材は、該連結部材の前進によって前記開閉部材を前進方向に押す前進押圧部と、前記連結部材の後退によって前記開閉部材を後退方向に押す後退押圧部とを有し、
前記開閉部材は、前記前進押圧部に押されることで、前記第１の開閉部が前記第１の開口を閉塞させるとともに前記第２の開閉部が前記第２の開口を開放させた後に前記揮散部材に前記嵌合部を介して嵌合する一方、前記後退押圧部に押されることで、前記第１の開閉部が前記第１の開口を開放させるとともに前記第２の開閉部が前記第２の開口を閉塞させた後に前記揮散部材との前記嵌合部を介した嵌合が解除されるように構成されている、請求項１〜４のいずれか一項に記載の揮散器。
【請求項６】
前記開閉部材は、前記連結部材の前進によって前記前進押圧部に押されるように構成された上端面を有する柱状部を有し、
前記連結部材は、前記柱状部の外周面に沿って延在する案内筒を有する、請求項５に記載の揮散器。
【請求項７】
前記案内筒は、前記第１の開口の内側に配置されるとともに、複数の連結片を介して前記貯留室に連結されている、請求項６に記載の揮散器。
【請求項８】
前記開閉部材は、前記柱状部の外側に配置された筒状の周壁を有し、
前記周壁は、前記第２の開閉部と、該第２の開閉部の上方に形成されるとともに前記連結部材の後退によって前記後退押圧部に押されるように構成された段差面と、該段差面の上方に形成された前記第１の開閉部とを有する、請求項５〜７のいずれか一項に記載の揮散器。
【請求項９】
前記揮散部は、前記揮散剤を含浸可能な含浸体を有する、請求項１〜８のいずれか一項に記載の揮散器。
【請求項１０】
前記連結部材を後退方向に付勢する連結部材付勢部を有する、請求項１〜９のいずれか一項に記載の揮散器。
【請求項１１】
前記容器は、筒状の口部を有し、
前記口部は、前記連結部材に連結されている、請求項１〜１０のいずれか一項に記載の揮散器。
【請求項１２】
前記容器は、前記口部の内部に通じる密閉空間を形成するとともに前記口部より径方向に拡大した胴部を有する、請求項１１に記載の揮散器。
【発明の詳細な説明】
【技術分野】
【０００１】
本開示は、揮散器に関する。
【背景技術】
【０００２】
芳香剤又は消臭剤等の揮散剤を揮散させる目的で用いられる揮散器として、揮散剤を揮散可能な状態で保持することが可能な揮散部と、揮散剤を内部に収容した容器とを備えるものが知られている。このような揮散器は、例えば特許文献１に記載されように、容器の内部から揮散部までの揮散剤の供給経路が常に開放された構成を有している場合がある。
【先行技術文献】
【特許文献】
【０００３】
【特許文献１】特開２００７−６１２９０号公報
【発明の概要】
【発明が解決しようとする課題】
【０００４】
特許文献１に記載されるような揮散器は、日光などによって外部から加熱された場合などに、容器の内部の圧力が上昇し、揮散剤が揮散部に過剰に供給され、想定期間より早く消費されるおそれがある。
【０００５】
本開示は、このような点に鑑み、外部からの加熱などに伴う容器の内部の圧力上昇による揮散剤の消耗を抑制できる揮散器を提供することを目的とする。
【課題を解決するための手段】
【０００６】
本発明の一態様としての揮散器は、
揮散剤を揮散可能な状態で保持することが可能な揮散部を有する揮散部材と、
前記揮散部材の上方に配置されるとともに、前記揮散部材に対して相対的に前進及び後退できるように前記揮散部材に連結された連結部材と、
前記揮散剤を内部に収容するとともに前記連結部材に連結された容器と、
前記連結部材に設けられ、第１の開口と、該第１の開口より下方に位置する第２の開口との間に形成された貯留室と、
前記連結部材の前進によって、前記第１の開口を閉塞させる一方、前記連結部材の後退によって、前記第１の開口を開放させて前記容器の内部を前記貯留室の内部に通じさせるように構成された第１の開閉部と、
前記連結部材の前進によって、前記第２の開口を開放させて前記貯留室の内部を前記揮散部に通じさせる一方、前記連結部材の後退によって、前記第２の開口を閉塞させるように構成された第２の開閉部と
を備える。
【０００７】
本発明の１つの実施形態として、
前記第２の開閉部は、前記連結部材の前進によって、前記第１の開閉部が前記第１の開口を閉塞させると同時又はその後に、前記第２の開口を開放させる一方、前記連結部材の後退によって、前記第１の開閉部が前記第１の開口を開放させると同時又はその前に、前記第２の開口を閉塞させるように構成されている。
【０００８】
本発明の１つの実施形態として、
前記貯留室は、前記第１の開口が形成された天壁と、前記第２の開口が形成された底壁とを有する。
【０００９】
本発明の１つの実施形態として、
前記第１の開閉部は、前記連結部材の前進によって、前記第１の開口の周縁部に接触して前記第１の開口を閉塞させる一方、前記連結部材の後退によって、前記第１の開口の周縁部から離脱して前記第１の開口を開放させるように構成されており、
前記第２の開閉部は、前記連結部材の前進によって、前記第２の開口の周縁部から離脱して前記第２の開口を開放させる一方、前記連結部材の後退によって、前記第２の開口の周縁部に接触して前記第２の開口を閉塞させるように構成されている。
【００１０】
本発明の１つの実施形態として、
前記第１の開閉部と前記第２の開閉部とを有するとともに前記揮散部材と嵌合部を介して嵌合可能な開閉部材を備え、
前記連結部材は、該連結部材の前進によって前記開閉部材を前進方向に押す前進押圧部と、前記連結部材の後退によって前記開閉部材を後退方向に押す後退押圧部とを有し、
前記開閉部材は、前記前進押圧部に押されることで、前記第１の開閉部が前記第１の開口を閉塞させるとともに前記第２の開閉部が前記第２の開口を開放させた後に前記揮散部材に前記嵌合部を介して嵌合する一方、前記後退押圧部に押されることで、前記第１の開閉部が前記第１の開口を開放させるとともに前記第２の開閉部が前記第２の開口を閉塞させた後に前記揮散部材との前記嵌合部を介した嵌合が解除されるように構成されている。
【００１１】
本発明の１つの実施形態として、
前記開閉部材は、前記連結部材の前進によって前記前進押圧部に押されるように構成された上端面を有する柱状部を有し、
前記連結部材は、前記柱状部の外周面に沿って延在する案内筒を有する。
【００１２】
本発明の１つの実施形態として、
前記案内筒は、前記第１の開口の内側に配置されるとともに、複数の連結片を介して前記貯留室に連結されている。
【００１３】
本発明の１つの実施形態として、
前記開閉部材は、前記柱状部の外側に配置された筒状の周壁を有し、
前記周壁は、前記第２の開閉部と、該第２の開閉部の上方に形成されるとともに前記連結部材の後退によって前記後退押圧部に押されるように構成された段差面と、該段差面の上方に形成された前記第１の開閉部とを有する。
【００１４】
本発明の１つの実施形態として、
前記揮散部は、前記揮散剤を含浸可能な含浸体を有する。
【００１５】
本発明の１つの実施形態として、
前記連結部材を後退方向に付勢する連結部材付勢部を有する。
【００１６】
本発明の１つの実施形態として、
前記容器は、筒状の口部を有し、
前記口部は、前記連結部材に連結されている。
【００１７】
本発明の１つの実施形態として、
前記容器は、前記口部の内部に通じる密閉空間を形成するとともに前記口部より径方向に拡大した胴部を有する。
【発明の効果】
【００１８】
本開示によれば、外部からの加熱などに伴う容器の内部の圧力上昇による揮散剤の消耗を抑制できる揮散器を提供することができる。
【図面の簡単な説明】
【００１９】
【図１】本発明の一実施形態に係る揮散器を、使用時の状態（連結部材が後退した状態）で示す一部断面側面図である。
【図２】図１に示す揮散器を、使用時の状態（連結部材が前進した状態）で示す一部断面側面図である。
【図３】図１に示す揮散器について、連結部材の一部を示す上面図である。
【図４】図１に示す揮散器を、流通時の状態で示す一部断面側面図である。
【発明を実施するための形態】
【００２０】
以下、図１〜図４を参照して、本発明の一実施形態に係る揮散器１について詳細に例示説明する。本明細書において、上下方向とは、鉛直方向を意味する。
【００２１】
図１に示すように、本実施形態に係る揮散器１は、揮散器本体２と容器３とを備えている。揮散器本体２は、揮散部材４と、連結部材５と、連結部材５に設けられた貯留室６と、第１の開閉部７と、第２の開閉部８とを備えている。本実施形態では、揮散器本体２は、開閉部材１６をさらに備えており、この開閉部材１６が第１の開閉部７と第２の開閉部８とを有している。揮散器１は、流通時には、例えば、図４に示すように揮散器本体２と容器３とが互いに分離した形態をとることができるが、使用時には、図１〜図２に示すように揮散器本体２と容器３とが互いに連結され、揮散器本体２の上方に容器３が配置された形態をとるように構成されている。以下、使用時の形態を基準にして、揮散器１の構成について説明する。
【００２２】
容器３は、図１に示すように、揮散剤を内部に収容するとともに連結部材５に連結されている。本実施形態では、容器３は、筒状（より具体的には円筒状）の口部３ａを有している。口部３ａは、連結部材５に連結されている。容器３は、口部３ａの内部に通じる密閉空間を形成するとともに口部３ａより径方向に拡大した胴部３ｂ（図４参照）を有している。容器３の形状は、適宜変更が可能である。
【００２３】
本実施形態では、揮散剤は、例えば芳香剤又は消臭剤等の、常温で気化する液体で構成されている。揮散剤を構成する液体の粘度は特に限定されない。揮散剤は、液体以外の物質を含んでいてもよい。
【００２４】
図１に示すように、揮散部材４は、揮散剤を揮散可能な状態で保持することが可能な揮散部４ａを有している。本実施形態では、揮散部４ａは、揮散剤を含浸可能な含浸体９を有している。含浸体９は、例えば、多孔質体又は不織布などで構成することができる。
【００２５】
本実施形態では、揮散部材４は、含浸体９と、上部材１０と、下部材１１とからなっている。下部材１１は揮散部４ａの底面を構成する円板状の底板１１ａと、上部材１０に嵌合した嵌合周壁１１ｂとを有している。上部材１０は、揮散部４ａの上方及び外側を包囲する包囲壁１０ａを有している。包囲壁１０ａには、下部材１１の嵌合部１１ｂが嵌合している。包囲壁１０ａには、揮散部４ａから気化した揮散剤を放出するための複数の開口（窓）１０ｂが形成されている。上部材１０は、包囲壁１０ａから上方に延びる円筒状の凸部（嵌合凸部）１０ｃを有している。嵌合凸部１０ｃは、開閉部材１６の下端面に形成された円筒状の凹部（嵌合凹部）１６ｅと嵌合可能に構成されている。すなわち、本実施形態では、開閉部材１６は、嵌合凸部１０ｃと嵌合凹部１６ｅとからなる嵌合部１７を介して揮散部材４と嵌合可能に構成されている。包囲壁１０ａには、嵌合凸部１０ｃの外側において、貯留室６の内部から吐出された揮散剤が下方に通過可能な複数の開口（通過口）１０ｄが形成されている。上部材１０は、複数の通過口１０ｄの外側において包囲壁１０ａから上方に延びる円筒状の嵌合下筒１０ｅを有している。嵌合下筒１０ｅには、連結部材５が揮散部材４に対して相対的に前進及び後退できるように、連結部材５の嵌合上筒１２ｄが嵌合している。
【００２６】
連結部材５は、揮散部材４の上方に配置されるとともに、揮散部材４に対して相対的に前進及び後退できるように揮散部材４に連結されている。連結部材５は、第１の開口５ａと、第１の開口５ａより下方に位置する第２の開口５ｂとの間に形成された貯留室６を有している。本実施形態では、第１の開口５ａと第２の開口５ｂとは、それぞれ、円筒状をなしている。本実施形態では、貯留室６は、第１の開口５ａが形成された天壁５ｃと、第２の開口５ｂが形成された底壁５ｄとを有している。本実施形態では、連結部材５は、連結部材５の前進によって開閉部材１６を前進方向に押す前進押圧部５ｅと、連結部材５の後退によって開閉部材１６を後退方向に押す後退押圧部５ｆとを有している。後退押圧部５ｆは、第２の開口５ｂの上端縁部で構成されている。前進押圧部５ｅは、複数（本実施形態では、４つ）の連結片５ｇ（図３参照）を介して貯留室６の天壁５ｃに連結されている円筒状の案内筒５ｈの上端を閉塞する壁の下面に形成された凸部で構成されている。案内筒５ｈは、第１の開口５ａの内側に配置されている。案内筒５ｈは、開閉部材１６の柱状部１６ｂの外周面に沿って延在している。
【００２７】
本実施形態では、連結部材５は、外栓１２と、中栓１３とからなっている。外栓１２は、容器３の口部３ａにねじ部を介して連結された連結筒１２ａを有している。口部３ａ及び連結筒１２ａは、ねじ部の代わりに嵌合部を介して互いに連結されるように構成してもよい。外栓１２は、連結筒１２ａの下端から内側に延びる円環状のフランジ壁１２ｂを有している。外栓１２は、フランジ壁１２ｂの内周縁から下方に延びる円筒状の下側壁１２ｃを有している。外栓１２は、下側壁１２ｃの下端から内側に延びる底壁５ｄを有している。底壁５ｄには、前述したように、第２の開口５ｂと後退押圧部５ｆとが形成されている。外栓１２は、フランジ壁１２ｂの外周縁から下方に延びる円筒状の嵌合上筒１２ｄを有している。嵌合上筒１２ｄは、前述したように、揮散部材４の嵌合下筒１０ｅに嵌合している。嵌合上筒１２ｄと、嵌合下筒１０ｅとは、連結部材５の前進及び後退を案内するように近接して配置されている。
【００２８】
中栓１３は、口部３ａの端面から下方に延びる円筒状の上側壁１３ａを有している。上側壁１３ａと下側壁１２ｃとは封止部１８を介して互いに接触している。本実施形態では、封止部１８は、上側壁１３ａの下端面に形成された円筒状の凹部（封止凹部）１８ａと、この凹部に挿入された円筒状の凸部（封止凸部）１８ｂとからなっている。上側壁１３ａの外周面は、連結筒１２ａの内周面に嵌合している。中栓１３は、上側壁１３ａの上端から上方に延びる封止筒１３ｂを有している。封止筒１３ｂは、口部３ａの内周面に全周に亘って密着している。中栓１３は、上側壁１３ａの上端から内側に延びる天壁５ｃを有している。天壁５ｃには、前述したように、第１の開口５ａが形成されるとともに、複数の連結片５ｇ、案内筒５ｈ及び前進押圧部５ｅが連結している。本実施形態では、貯留室６は、天壁５ｃと、上側壁１３ａと、下側壁１２ｃと、底壁５ｄとで構成されている。
【００２９】
本実施形態では、揮散器１は（より具体的には、揮散器本体２は）、連結部材５を後退方向に付勢する連結部材付勢部１４を有している。連結部材付勢部１４は、コイルばねからなっている。コイルばねは、外栓１２のフランジ壁１２ｂと上部材１０の包囲壁１０ａとの間に配置されている。
【００３０】
第１の開閉部７は、連結部材５の前進によって、図２に示すように、第１の開口５ａを閉塞させる一方、連結部材５の後退によって、図１に示すように、第１の開口５ａを開放させて容器３の内部を貯留室６の内部に通じさせるように構成されている。本実施形態では、第１の開閉部７は、図２に示すように、連結部材５の前進によって、第１の開口５ａの周縁部に接触して第１の開口５ａを閉塞させる一方、連結部材５の後退によって、図１に示すように、第１の開口５ａの周縁部から離脱して第１の開口５ａを開放させるように構成されている。
【００３１】
第２の開閉部８は、連結部材５の前進によって、図２に示すように、第２の開口５ｂを開放させて貯留室６の内部を揮散部４ａに通じさせる一方、連結部材５の後退によって、図１に示すように、第２の開口５ｂを閉塞させるように構成されている。本実施形態では、第２の開閉部８は、連結部材５の前進によって、図２に示すように、第２の開口５ｂの周縁部から離脱して第２の開口５ｂを開放させる一方、連結部材５の後退によって、図１に示すように、第２の開口５ｂの周縁部に接触して第２の開口５ｂを閉塞させるように構成されている。より具体的には、第２の開閉部８は、連結部材５の前進によって、第１の開閉部７が第１の開口５ａを閉塞させた後に、第２の開口５ｂを開放させる一方、連結部材５の後退によって、第１の開閉部７が第１の開口５ａを開放させる前に、第２の開口５ｂを閉塞させるように構成されている。しかし、第２の開閉部８は、このような構成に限られない。例えば、第２の開閉部８は、連結部材５の前進によって、第１の開閉部７が第１の開口５ａを閉塞させると同時に、第２の開口５ｂを開放させる一方、連結部材５の後退によって、第１の開閉部７が第１の開口５ａを開放させると同時に、第２の開口５ｂを閉塞させるように構成されてもよい。
【００３２】
開閉部材１６は、前進押圧部５ｅに押されることで、第１の開閉部７が第１の開口５ａを閉塞させるとともに第２の開閉部８が第２の開口５ｂを開放させた後に揮散部材４に嵌合部１７を介して嵌合する（図２参照）一方、後退押圧部５ｆに押されることで、第１の開閉部７が第１の開口５ａを開放させるとともに第２の開閉部８が第２の開口５ｂを閉塞させた後に揮散部材４との嵌合部１７を介した嵌合が解除される（図１参照）ように構成されている。図１に示すように、開閉部材１６は、連結部材５の前進によって前進押圧部５ｅに押されるように構成された上端面１６ａを有する柱状部１６ｂを有している。柱状部１６ｂは、中空部を有する円柱状をなしている。開閉部材１６は、柱状部１６ｂの外側に配置された筒状（本実施形態では、円筒状）の周壁１６ｃを有している。周壁１６ｃは、第２の開閉部８と、第２の開閉部８の上方に形成されるとともに連結部材５の後退によって後退押圧部５ｆに押されるように構成された段差面１６ｄと、段差面１６ｄの上方に形成された第１の開閉部７とを有している。段差面１６ｄは、本実施形態では円環状をなしている。開閉部材１６の下端面には、前述したとおり、嵌合凹部１６ｅが形成されている。
【００３３】
容器３は、合成樹脂によるブロー成形品からなっている。上部材１０、下部材１１、外栓１２、中栓１３、開閉部材１６は、それぞれ、合成樹脂による射出成形品からなっている。連結部材付勢部（コイルばね）１４は金属製である。しかし、これらの材質や製法は適宜変更が可能である。本実施形態では、口部３ａ、案内筒５ｈ、柱状部１６ｂ、周壁１６ｃ、嵌合凹部１６ｅ及び嵌合凸部１０ｃは、共通の中心軸線Ｏを有している。図４において、容器３の口部３ａには、キャップ１５が装着されている。使用開始時には、キャップ１５は口部３ａから除去され、口部３ａに連結筒１２ａが連結される。
【００３４】
以上、説明した本実施形態に係る揮散器１によれば、例えば揮散器１を支持面に載置した状態で容器３を指で押し下げる等の操作によって、連結部材５を前進させることで、図２に示すように、貯留室６の内部から揮散部４ａに揮散剤を吐出することができ、次いで、連結部材付勢部１４の付勢力によって連結部材５を後退させることで、図１に示すように、容器３の内部から貯留室６の内部に所定量の揮散剤を送り込んでおくことができる。このように、揮散器１は、使用時にのみ連結部材５を前進させて揮散剤を吐出するように構成されているので、外部からの加熱などに伴う容器３の内部の圧力上昇による揮散剤の消耗を抑制することができる。特に、本実施形態では、揮散器１は、貯留室６の容積によって定まる量の揮散剤のみを吐出するように構成されているので、上述したような容器３の内部の圧力上昇による揮散剤の消耗を確実に抑制することができる。
【００３５】
揮散器１は、本実施形態では、揮散部材４と嵌合部１７を介して嵌合可能な開閉部材１６を有しているので、連結部材５を前進させる操作の完了時に嵌合部１７の嵌合によって節度感（クリック感）を生じさせることができる。また、その際は、開閉部材１６の柱状部１６ｂを案内筒５ｈで案内することで、前進押圧部５ｅから柱状部１６ｂの上端面１６ａに確実に押圧力を付与することができるので、開閉部材１６の動作を安定させることができる。
【００３６】
以上、本発明の一実施形態について説明したが、前述したところは本発明の実施形態の一例を示したにすぎず、発明の要旨を逸脱しない限り、種々の変更を加えてよいことは言うまでもない。
【００３７】
例えば、開閉部材１６を揮散部材４に嵌合部１７を介して嵌合可能に構成する代わりに、開閉部材１６を揮散部材４に固着した構成としてもよい。この場合、例えば、前進押圧部５ｅ、案内筒５ｈ及び段差面１６ｄを設けなくてもよい。
【符号の説明】
【００３８】
１  揮散器
２  揮散器本体
３  容器
３ａ  口部
３ｂ  胴部
４  揮散部材
４ａ  揮散部
５  連結部材
５ａ  第１の開口
５ｂ  第２の開口
５ｃ  天壁
５ｄ  底壁
５ｅ  前進押圧部
５ｆ  後退押圧部
５ｇ  連結片
５ｈ  案内筒
６  貯留室
７  第１の開閉部
８  第２の開閉部
９  含浸体
１０  上部材
１０ａ  包囲壁
１０ｂ  窓
１０ｃ  嵌合凸部
１０ｄ  通過口
１０ｅ  嵌合下筒
１１  下部材
１１ａ  底板
１１ｂ  嵌合周壁
１２  外栓
１２ａ  連結筒
１２ｂ  フランジ壁
１２ｃ  下側壁
１２ｄ  嵌合上筒
１３  中栓
１３ａ  上側壁
１３ｂ  封止筒
１４  連結部材付勢部
１５  キャップ
１６  開閉部材
１６ａ  上端面
１６ｂ  柱状部
１６ｃ  周壁
１６ｄ  段差面
１６ｅ  嵌合凹部
１７  嵌合部
１８  封止部
１８ａ  封止凹部
１８ｂ  封止凸部
Ｏ  中心軸線
【図１】
2018184209.tif 000003
【図２】
2018184209.tif 000004
【図３】
2018184209.tif 000005
【図４】
2018184209.tif 000006